(57)【特許請求の範囲】
【請求項１】
第１の通気口が少なくとも相対する壁面に形成された囲壁と、
上記囲壁の内側の空間部を仕切る仕切り壁とを備え、
上記仕切り壁の囲壁側の端部は、上記相対する壁面に形成された第１の通気口に臨み、
上記囲壁のコーナ部には、隣り合う壁面に跨って第２の通気口が形成され、
上記仕切り壁は、交差部において、仕切られた各空間部を連通させる第３の通気口が隣り合う壁面に跨って形成されていることを特徴とする建築物の基礎構造。
【請求項２】
上記仕切り壁の囲壁側の第１の通気口に臨む端部及び／又は上記仕切り壁の交差部側の第３の通気口に臨む端部には、各々の端部が向き合う壁面から内側に所定の間隔を隔てて位置していることを特徴とする請求項１記載の建築物の基礎構造。
【請求項３】
上記仕切り壁の囲壁側の第１の通気口に臨む端部及び／又は上記仕切り壁の交差部側の第３の通気口に臨む端部には、上記第１及び／又は第３の通気口に対して、左右に傾斜面が形成されていることを特徴とする請求項１又は請求項２記載の建築物の基礎構造。
【請求項４】
上記囲壁と仕切り壁は、上記第１の通気口の上側において、上記囲壁と上記仕切り壁の頂面が連続し、建築物の基準面となることを特徴とする請求項１乃至請求項３のうち何れか１記載の建築物の基礎構造。
【請求項５】
少なくとも上記第１及び第２の通気口には、通気パネルが配設され、
上記通気パネルには、上記囲壁の第１及び第２の通気口の上側を補強する補強板が形成さられていることを特徴とする請求項１乃至請求項４のうち何れか１記載の建築物の基礎構造。
【発明の詳細な説明】
【技術分野】
【０００１】
本発明は、建築物の床下の通気口が形成された建築物の基礎構造に関する。
【背景技術】
【０００２】
建築物の基礎には、独立基礎、布基礎及びベタ基礎がある。独立基礎は、柱の下に独立した基礎を設けるものであり、布基礎は、建物の外壁及び内壁に沿って基礎を設けるものであり、ベタ基礎は、建物の外壁及び内壁に沿って基礎を設け、床面全体にコンクリートを打つ基礎である。これらの中で、布基礎及びベタ基礎は、床下が建物の外壁及び内壁に沿ってコンクリートが打たれているので、床下の換気を行う必要があり、このため、所定の間隔をおいて通気口が設けられている。
【０００３】
ここで従来の布基礎及びベタ基礎について図１２を用いて説明すると、従来の建築物の基礎構造１０１は、囲壁１１０と囲壁１１０の内側の空間部を仕切る仕切り壁１２０とで構成されている。この建築物の基礎構造１０１では、仕切り壁１２０で仕切られた各空間部の相対する位置に通気口１３０を設け、通気口１３０を出入り口とした外気の流れを発生させる。また、建築物の基礎構造１０１は、通気口１３０をコーナ部ではなく、相対する壁面の略中央部に設けるようにして、囲壁１１０及び仕切り壁１２０の機械的強度を確保するようにしている。
【０００４】
しかしながら、従来の建築物の基礎構造１０１は、強度確保の点から通気口１３０が各空間部の略中央部に相対して設けられているので、外気の流れは矢印Ｘ及び矢印Ｙに示すように直線的になってしまう。したがって、囲壁１１０や仕切り壁１２０のコーナ部や囲壁１１０や仕切り壁１２０の壁沿いの点線で囲んだ空間部では、空気が滞留してしまい、十分な換気を行うことができない。
【０００５】
そこで、特許文献１には、以上のような問題点を解決するため、建築物の基礎構造に換気ファンを設け、積極的に空気の流れを発生させ、十分に換気を行うことができるようにすることが記載されている。しかしながら、特許文献１の建築物の基礎構造では、換気ファンを設けなければならず、施工が面倒であり、また、換気ファンの保守が必要となり維持管理が面倒である。
【０００６】
また、特許文献２には、囲壁と仕切り壁のＴ字型の交差部に用いるブロックが記載されている。このブロックによれば、通気口から取り込んだ外気は、仕切り壁の交差部で分流されることから、Ｔ字部分での空気の滞留を防止することができる。しかしながら、特許文献２のブロックを用いたとしても、仕切り壁の十字の交差部分での換気は十分に行うことができない。また、建築物の基礎構造全体について、床下で空気の流れを如何に制御するかに関する考え方はふれていない。
【０００７】
【特許文献１】実開平５−０６４６３８号公報
【特許文献２】特許第２９４３８３０号公報
【発明の開示】
【発明が解決しようとする課題】
【０００８】
本発明は、このような従来の事情に鑑みて提案されたものであり、建築物の床下の換気むらを防止し、隅部まで十分な換気を行うための建築物の基礎構造物を提供することを目的とする。
【課題を解決するための手段】
【０００９】
上述した目的を達成するために本発明に係る建築物の基礎構造は、囲壁と囲壁の内側の空間部を仕切る仕切り壁から構成される。
【００１０】
そして、囲壁と仕切り壁の略Ｔ字形状の交差部には、囲壁の相対する壁面に、第１の通気口が形成されている。仕切り壁の囲壁側の端部は、囲壁の相対する壁面に形成された第１の通気口に臨み、第１の通気口から取り込んだ外気を囲壁内の仕切り壁によって仕切られた隣り合う空間部へ分流する。また、囲壁の略Ｌ字形状のコーナ部には、隣り合う壁面に跨って第２の通気口が形成されている。この第２の通気口は、複数の方向から外気を、該第２の通気口が形成された空間部へ取り込む。仕切り壁の略十字形状の交差部には、仕切られた各空間部を連通させる第３の通気口が隣り合う壁面に跨って形成されている。この第３の通気口は、一の空間部から複数の他の空間部へ外気が流れ込むようにしている。
【００１１】
以上のような建築物の基礎構造は、一の空間部の第１及び第２の通気口から取り込んだ外気が仕切り壁の交差部の第３の通気口を介して、他の空間部へ流れ込むようにし、一の空間部から流れ込んだ空気を、他の空間部の第１及び第２の通気口より排気する。
【発明の効果】
【００１２】
本発明に係る建築物の基礎構造によれば、外気を囲壁内の複数の空間部に取り込みやすく、取り込んだ外気を空間部の隅々まで流動させることができることから、床下の換気を隅々まで十分に行うことができる。
【発明を実施するための最良の形態】
【００１３】
以下、本発明が適用された建築物の基礎構造の布基礎構造１について、図面を参照して説明する。
【００１４】
図１に示すように、本発明を適用した布基礎構造１は、例えば、平面視略矩形の囲壁１０の内側に平面視略十字形状の仕切り壁２０が設けられ、仕切り壁２０によって第１乃至第４の空間部２４ａ，２４ｂ，２４ｃ，２４ｄ（以下、空間部２４ａ〜２４ｄを単に空間部２４ともいう。）が設けられている。
【００１５】
囲壁１０と仕切り壁２０は、コンクリートを型枠に流し込んで形成され、また、基礎ブロックを並設することによって形成されている。更に、囲壁１０及び仕切り壁２０は、鉄筋構造であって十分な強度が確保されている。囲壁１０及び仕切り壁２０の鉄筋構造は、後述の第１乃至第３の通気口３０，４０，５０の上側にも鉄筋が設けられており、第１乃至第３の通気口３０，４０，５０が設けられた位置においても、十分な強度が確保されている。
【００１６】
図２に示すように、仕切り壁２０は、囲壁１０の内側の空間部２４を仕切るものであって、ここでは囲壁１０の内側に４つの空間部２４ａ，２４ｂ，２４ｃ，２４ｄを設けている。仕切り壁２０は、第１乃至第４の仕切り部２１ａ，２１ｂ，２１ｃ，２１ｄ（以下、仕切り部２１ａ〜２１ｄを単に仕切り部２１ともいう。）によって、全体が略十字形状になすように設けられている。各仕切り部２１ａ，２１ｂ，２１ｃ，２１ｄは、囲壁１０の各壁部１１ａ，１１ｂ，１１ｃ，１１ｄ（以下、壁部１１ａ〜１１ｄを単に壁部１１ともいう。）の長さ方向略中央部に端部２３が位置するように設けられている。
【００１７】
具体的には、仕切り部２１ａは、囲壁１０の内側の中央から囲壁１０の壁部１１ａの内側略中央部に向かって形成され、仕切り部２１ｂは、囲壁１０の内側の中央から囲壁１０の壁部１１ｂの内側略中央部に向かって形成され、仕切り部２１ｃは、囲壁１０の内側の中央から囲壁１０の壁部１１ｃの内側略中央部に向かって形成され、仕切り部２１ｄは、囲壁１０の内側の中央から囲壁１０の壁部１１ｄの内側略中央部に向かって形成されている。そして、第１乃至第４の仕切り部２１ａ，２１ｂ，２１ｃ，２１ｄは、囲壁１０の内側に第１乃至第４の空間部２４ａ，２４ｂ，２４ｃ，２４ｄを形成するようにしている。囲壁１０には、仕切り壁２０を構成する各仕切り部２１ａ，２１ｂ，２１ｃ，２１ｄの端部２３が位置する部分、すなわち、各壁部１１ａ，１１ｂ，１１ｃ，１１ｄの長さ方向略中央部に第１の通気口３０ａ，３０ｂ，３０ｃ，３０ｄ（以下、第１の通気口３０ａ〜３０ｄを単に第１の通気口３０ともいう。）が設けられている。
【００１８】
具体的に、第１の通気口３０ａは、壁部１１ａと仕切り部２１ａの略Ｔ字形状の交差部の壁部１１ａに設けられ、第１の通気口３０ｂは、壁部１１ｂと仕切り部２１ｂの略Ｔ字形状の交差部の壁部１１ｂに設けられ、第１の通気口３０ｃは、壁部１１ｃと仕切り部２１ｃの略Ｔ字形状の交差部の壁部１１ｃに設けられ、第１の通気口３０ｄは、壁部１１ｄと仕切り部２１ｄの略Ｔ字形状の交差部の壁部１１ｄに設けられている。
【００１９】
図３に示すように、第１の通気口３０は、各仕切り部２１ａ，２１ｂ，２１ｃ，２１ｄの端部２３ａが臨む位置に設けられることによって、端部２３ａが取り込んだ外気を２つの空間部２４に分流し、隣り合う各空間部２４に供給するようになっている。
【００２０】
各仕切り部２１ａ，２１ｂ，２１ｃ，２１ｄの囲壁側の第１の通気口３０に臨む端部２３ａは、各々の端部２３ａが向き合う囲壁１０の壁部１１の壁面から内側に所定の間隔Ｃ１、例えば囲壁１０の厚さ程度、を隔てて位置している。これにより、例えば、一の空間部２４の第２の通気口４０から取り込まれた外気を、この間隔Ｃ１によって、隣り合う空間部２４に直線的に送り込むことが可能となり、相対する第２の通気口４０により排気することができる。すなわち、この間隔Ｃ１によって、囲壁１０の壁部１１に沿った空間部２４の空気の滞留を防止することができる。
【００２１】
なお、第１の通気口３０に臨む端部２３ａは、各々の端部２３ａが向き合う壁面から内側に所定の間隔Ｃ１を隔てて位置することに限らず、建築物の基礎構造１の形状や大きさ等により、適宜変更可能であり、例えば、所定の間隔Ｃ１を設けなくてもよく、これに限定されない。
【００２２】
また、各仕切り部２１ａ，２１ｂ，２１ｃ，２１ｄの囲壁側の第１の通気口３０に臨む端部２３ａには、第１の通気口３０に対して、左右に傾斜面２５ａ，２５ａが設けられている。これにより、第１の通気口３０から取り込んだ外気は、端部２３ａの左右の傾斜面２５ａ，２５ａが、ガイドとなり、非直線的、すなわち、広がりをもつように各空間部２４へ送り込まれる。なお、各仕切り部２１ａ，２１ｂ，２１ｃ，２１ｄの囲壁側の第１の通気口３０に臨む端部２３ａは、第１の通気口３０に対して、先端に平坦な面を設け、その左右両側に傾斜面２５ａ，２５ａを設けるようにしてもよい。
【００２３】
なお、第１の通気口３０に臨む端部２３ａは、建築物の基礎構造１の形状や大きさ等により、適宜変更可能であり、例えば、第１の通気口３０に対して、左右に傾斜面２５ａ，２５ａを設けなくてもよく、これに限定されない。
【００２４】
また、この第１の通気口３０は、該第１の通気口３０を構成する開口部３１の外側が内側より大きくなるように形成され、囲壁１０の内側に外気を取り込みやすくしている。また、第１の通気口３０は、外部と囲壁１０の内部とを連通させているので、床下に昆虫類や鼠等の侵入を防止するため通気パネル３２が設けられている。この通気パネル３２は、例えば、金網や格子状の柵で形成されている。
【００２５】
図４に示すように、囲壁１０の壁部１１と仕切り壁２０の仕切り部２１は、第１の通気口３０の上側の接続部分において、囲壁１０の壁部１１の頂面１２と仕切り壁２０の仕切り部２１の頂面２２が同じ高さで連続するように設けられている。更に、第１の通気口３０の上側の囲壁１０の壁部１１と仕切り壁２０の仕切り部２１は、連続部分において、内部に鉄筋１３を延在させ強度を確保するようにしている。
【００２６】
図２に示すように、囲壁１０の略Ｌ字形状のコーナ部は、隣り合う壁部１１に跨って第２の通気口４０ａ，４０ｂ，４０ｃ，４０ｄ（以下、第２の通気口４０ａ〜４０ｄを単に第２の通気口４０ともいう。）が設けられている。具体的には、第２の通気口４０ａは、壁部１１ｄ，１１ａの略Ｌ字形状のコーナ部に設けられ、第２の通気口４０ｂは、壁部１１ａ，１１ｂの略Ｌ字形状のコーナ部に設けられ、第２の通気口４０ｃは、壁部１１ｂ，１１ｃの略Ｌ字形状のコーナ部に設けられ、第２の通気口４０ｄは、壁部１１ｃ，１１ｄの略Ｌ字形状のコーナ部に設けられている。
【００２７】
図５に示すように、この第２の通気口４０は、該第２の通気口４０を構成する開口部４１の外側が内側より大きくなるように形成され、囲壁１０の内側に外気を取り込みやすくしている。また、この第２の通気口４０は、隣り合う２つの壁部１１に跨って形成されることによって、複数の方向から外気を第２の通気口４０が形成された壁部１１によって形成された空間部２４へ取り込むことができるようにしている。更に、第２の通気口４０は、外部と囲壁１０の内部とを連通させているので、床下に昆虫類や鼠等の侵入を防止するため通気パネル４２が設けられている。通気パネル４２は、例えば、金網や格子状の柵で形成されている。
【００２８】
図６に示すように、囲壁１０の隣り合う２つの壁部１１は、第２の通気口４０の上側の接続部分において、囲壁１０の壁部１１の頂面１２が同じ高さで連続するように設けられている。更に、第２の通気口４０の上側の囲壁１０の隣り合う２つの壁部１１は、連続部分において、内部に鉄筋１３を延在させ強度を確保するようにしている。
【００２９】
図７に示すように、仕切り壁２０の略十字形状の交差部分には、第３の通気口５０が形成されている。第３の通気口５０は、仕切り部２１の隣り合う壁面に跨るように形成されることにより、一の空間部２４と他の空間部２４を連通させ、各方向からの外気の流れを、他の空間部２４へ供給できるようにしている。
【００３０】
更に、各仕切り部２１ａ，２１ｂ，２１ｃ，２１ｄの交差部側の第３の通気口５０に臨む端部２３ｂは、各々の端部２３ｂが向き合う仕切り壁２０の仕切り部２１の壁面から内側に所定の間隔Ｃ２、例えば仕切り壁２０の厚さ程度、を隔てて位置している。これにより、相対する第１の通気口３０，３０間において、この間隔Ｃ２によって、一の空間部２４の第１の通気口３０より取り込んだ外気を第３の通気口５０を介して隣り合う他方の空間部２４に直線的に外気を送り込み、この他方の空間部２４の第１の通気口３０より排気することができる。すなわち、この間隔Ｃ２によって、仕切り壁２０に沿った空間部２４の空気の滞留を防止することができる。
【００３１】
なお、第３の通気口５０に臨む端部２３ｂは、各々の端部２３ｂが向き合う壁面から内側に所定の間隔Ｃ２を隔てて位置することに限らず、建築物の基礎構造１の形状や大きさ等により、適宜変更可能であり、例えば、所定の間隔Ｃ２を設けなくてもよく、これに限定されない。
【００３２】
また、各仕切り部２１ａ，２１ｂ，２１ｃ，２１ｄの交差部側の第３の通気口５０に臨む端部２３ｂには、第３の通気口５０に対して、左右に傾斜面２５ｂ，２５ｂが設けられている。これにより、囲壁１０の内側に取り込んだ外気を、一の空間部２４から他の空間部２４へ広がりをもって供給できるようにしている。なお、各仕切り部２１ａ，２１ｂ，２１ｃ，２１ｄの交差部側の第３の通気口５０に臨む端部２３ｂは、第３の通気口５０に対して、先端に平坦な面を設け、その左右両側に傾斜面２５ｂ，２５ｂを設けるようにしてもよい。
【００３３】
なお、第３の通気口５０に臨む端部２３ｂは、建築物の基礎構造１の形状や大きさ等により、適宜変更可能であり、例えば、第３の通気口５０に対して、左右に傾斜面２５ｂ，２５ｂを設けなくてもよく、これに限定されない。
【００３４】
図８に示すように、仕切り壁２０の各仕切り部２１ａ，２１ｂ，２１ｃ，２１ｄは、第３の通気口５０の上側の交差部分において、仕切り壁２０の仕切り部２１の頂面２２が同じ高さで連続するように設けられている。更に、第３の通気口５０の上側の仕切り壁２０の各仕切り部２１ａ，２１ｂ，２１ｃ，２１ｄは、連続部分において、内部に鉄筋１３を延在させ強度を確保するようにしている。なお、昆虫類や鼠等の侵入を防止するため、第３の通気口５０に通気パネルを設けてもよい。
【００３５】
以上のように、図１に示すように、囲壁１０と仕切り壁２０は、第１乃至第３の通気口３０,４０,５０の上側において、囲壁１０の壁部１１の頂面１２と仕切り壁２０の仕切り部２１の頂面２２が連続している。これにより、建築物の基礎構造の上面は、建築物の基準面となる。更に、建築物の基礎構造は、十分な強度をもって安定して建築物を支持できる。
【００３６】
以下、図２に示すように、外気が囲壁１０の壁部１１ａから囲壁１０の壁部１１ｃの方向へ流れている場合の囲壁１０の内側の空間部２４での外気の流れの一例を、図２を参照して説明する。
【００３７】
空間部２４ａでは、第１の通気口３０ａから取り込んだ外気が、仕切り部２１ａの端部２３ａの傾斜面２５ａによってガイドされて、非直線的に空間部２４ａへ取り込まれる。そして、第１の通気口３０ａから取り込んだ外気は、第１の通気口３０ａと同じ空間部２４ａで対角に位置する第１の通気口３０ｄから外部へ排気されるか、囲壁１０の壁部１１ａに沿って流れ、第２の通気口４０ａから外部へ排気される。または、第１の通気口３０ａから取り込んだ外気は、囲壁１０の壁部１１ｄに沿って流れ、第１の通気口３０ｄ近傍の間隔Ｃ１を介して空間部２４ｄへ流れ込むか、仕切り壁２０の仕切り部２１ａに沿って流れ、第３の通気口５０及びその近傍の間隔Ｃ２を介して他の空間部２４ｂ，２４ｃ，２４ｄへ流れ込む。
【００３８】
更に、囲壁１０のコーナ部の第２の通気口４０ａから取り込んだ外気は、囲壁１０の壁部１１ａに沿って流れ、第１の通気口３０ａから外部へ排気されるか、囲壁１０の壁部１１ｄに沿って流れ、第１の通気口３０ｄから外部へ排気される。または、囲壁１０のコーナ部の第２の通気口４０ａから取り込んだ外気は、囲壁１０の壁部１１ｄに沿って流れ、第１の通気口３０ｄ近傍の間隔Ｃ１を介して空間部２４ｄへ流れ込むか、第２の通気口４０ａと同じ空間部２４ａで対角に位置する第３の通気口５０及びその近傍の間隔Ｃ２を介して他の空間部２４ｂ，２４ｃ，２４ｄへ流れ込む。
【００３９】
空間部２４ｂでは、第１の通気口３０ａから取り込んだ外気が、仕切り部２１ａの端部２３ａの傾斜面２５ａによってガイドされて、非直線的に空間部２４ｂへ取り込まれる。そして、第１の通気口３０ａから取り込んだ外気は、第１の通気口３０ａと同じ空間部２４ｂで対角に位置する第１の通気口３０ｂから外部へ排気されるか、囲壁１０の壁部１１ａに沿って流れ、第２の通気口４０ｂから外部へ排気される。または、第１の通気口３０ａから取り込んだ外気は、囲壁１０の壁部１１ｂに沿って流れ、第１の通気口３０ｂ近傍の間隔Ｃ１を介して空間部２４ｃへ流れ込むか、仕切り壁２０の仕切り部２１ａに沿って流れ、第３の通気口５０及びその近傍の間隔Ｃ２を介して他の空間部２４ａ，２４ｃ，２４ｄへ流れ込む。更に、囲壁１０のコーナ部の第２の通気口４０ｂから取り込んだ外気は、囲壁１０の壁部１１ａに沿って流れ、第１の通気口３０ａから外部へ排気されるか、囲壁１０の壁部１１ｂに沿って流れ、第１の通気口３０ｂから外部へ排気される。または、囲壁１０のコーナ部の第２の通気口４０ｂから取り込んだ外気は、囲壁１０の壁部１１ｂに沿って流れ、第１の通気口３０ｂ近傍の間隔Ｃ１を介して空間部２４ｃへ流れ込むか、第２の通気口４０ｂと同じ空間部２４ｂで対角に位置する第３の通気口５０及びその近傍の間隔Ｃ２を介して他の空間部２４ａ，２４ｃ，２４ｄへ流れ込む。
【００４０】
空間部２４ａ，２４ｂから流れ込んだ外気は、空間部２４ｃにおいて、第１の通気口３０ｃや第２の通気口４０ｃから外部へ排気される。また、空間部２４ｄにおいて、空間部２４ａ，２４ｂから流れ込んだ外気は、第１の通気口３０ｃや第２の通気口４０ｄから外部へ排気される。
【００４１】
以上のような布基礎構造１は、第１乃至第３の通気口３０，４０，５０は、囲壁１０及び仕切り壁２０で構成されるコーナ部に設けることによって、空気の滞留しやすいコーナ部で換気を確実に行うことができる。
【００４２】
また、仕切り部２１の第１の通気口３０に臨む端部２３ａは、第１の通気口３０に対して、左右に傾斜面２５ａ，２５ａが設けられているので、第１の通気口３０から取り込んだ外気を、非直線的に空間部２４へ取り込むことができる。したがって、この布基礎構造１は、隅部まで十分な換気を行うことができる。また、第２の通気口４０は、囲壁１０のコーナ部の隣り合う壁部１１に跨って形成されているので、複数の方向からの外気を空間部２４へ取り込むことができる。
【００４３】
更に、この布基礎構造１は、第１及び第２の通気口３０，４０が、開口部３１，４１の外側が内側より大きくなるように形成されているので、囲壁１０の内側へより多くの外気を取り込むことができる。また、第１及び第２の通気口３０，４０から取り込んだ外気は、第１の通気口３０の間隔Ｃ１や第３の通気口５０や間隔Ｃ２を介して、他の空間部２４へ流れ込む。この際、一の空間部２４の第２の通気口４０から取り込んだ外気は、この間隔Ｃ１によって、隣り合う空間部２４に直線的に送り込まれ、相対する第２の通気口４０により排気され、囲壁１０の壁部１１に沿った領域の空気の滞留を防止することができる。また、一の空間部２４の第１の通気口３０から取り込んだ外気は、この間隔Ｃ２によって、隣り合う空間部２４に直線的に送り込まれ、相対する第１の通気口３０により排気され、仕切り壁２０に沿った領域の空気の滞留を防止することができる。
【００４４】
また、仕切り部２１の交差部側の第３の通気口５０に臨む端部２３ｂは、第３の通気口５０に対して左右に傾斜面２５ｂ，２５ｂが設けられているので、外気を一の空間部２４から他の空間部２４へ広がりをもって供給することができる。したがって、この建築物の布基礎構造１は、隅々まで外気を流動されることができ、換気むらを防止することができる。
【００４５】
なお、以上の例では、外気が囲壁１０の壁部１１ａから囲壁１０の壁部１１ｃの方向へ流れている場合の説明をしたが、実際には建築物の立地環境によって様々な方向から外気が取り込まれることになる。この場合においても、布基礎構造１は、複数方向からの外気を取り込み、隅部まで換気をおこなうことができる。
【００４６】
ここで、第１及び第２の通気口３０，４０に用いられる通気パネル３２，４２について説明する。なお、以下、第１の通気口３０に取り付けられる通気パネル３２を例に取り説明する。図９で示すように、通気パネル３２は、第１の通気口３０の開口部３１の内側とほぼ同じ大きさの金網や格子状の柵で形成される通気部３３と、第１の通気口３０の開口部３１の周囲を保護する保護板３４ａ，３４ｂ，３４ｃ，３４ｄ（以下、保護板３４ａ〜３４ｄを単に保護板３４ともいう。）と、通気パネル３２の脱落を防止する上側の係止部３５ａ,３５ｂ（以下、係止部３５ａ、３５ｂを単に係止部３５ともいう。）と、下側の係止部３６ａ,３６ｂ（以下、係止部３６ａ、３６ｂを単に係止部３６ともいう。）と、囲壁１０の第１の通気口３０の上側を補強する補強板３７とを備える。
【００４７】
通気部３３は、第１の通気口３０の開口部３１の内側とほぼ同じ大きさの金網や格子状の柵で形成され、通気部３３の周囲を略矩形に保護板３４で囲まれている。各辺の保護板３４は、溶接等で、通気部３３に対して外側に傾斜するように設けられている。また、上側の保護板３４ａには、裏面に係止部３５ａ，３５ｂが設けられ、下側の保護板３４ｃには、裏面に係止部３６ａ，３６ｂが設けられている。図１０に示すように、係止部３５ａは、保護板３４ａの先端から外側へ略Ｌ字形状に折り曲げられている。また、係止部３５ｂは、保護板３４ａの基端から外側へ略Ｌ字形状に折り曲げられている。係止部３５ａ，３５ｂは、互いに向き合い、対をなして設けられている。また、係止部３６ａは、保護板３４ｃの先端から外側へ略Ｌ字形状に折り曲げられている。また、係止部３６ｂは、保護板３４ｃの基端から外側へ略Ｌ字形状に折り曲げられている。係止部３６ａ，３６ｂは、互いに向き合い、対をなして設けられている。
【００４８】
また、補強板３７は、上側の保護板３４ａの外側に設けられ、囲壁１０と略平行に、囲壁１０の幅方向の略中間部に位置するように、所定の高さを持って設けられている。また、図９に示すように、補強板３７は、複数の貫通孔３８が設けられ、囲壁１０の成型のときに、コンクリートと一体となり固定することができる。
【００４９】
以上のように、通気パネル３２は、囲壁１０の成型のとき、囲壁１０のコンクリートの型枠の中に、第１の通気口３０になる位置に位置決めをして取り付けられ、保護板３４を第１の通気口３０を成形する際の型の一部として用いられる。そして、囲壁１０の型枠の中にコンクリートを流し込み、固化させることで、第１の通気口３０に一体的に通気パネルを設けることができる。更に、図１０に示すように、保護板３４が、通気部３３に対して傾斜するように設けられているので、第１の通気口の開口部３１を補強することができる。また、係止部３５,３６は、保護板３４の先端及び基端から、互いに向き合うように対をなして略Ｌ字形状に折り曲げられ、囲壁１０のコンクリートに係止部が固定されるので、通気パネル３２の脱落を防止することができる。また、基礎構造１では、補強板３７及び鉄筋１３を延在させることによって、囲壁１０の第１及び第２の通気口３０，４０の上側の強度が確保することができる。更に、補強板３７は、複数の貫通孔３８が設けられているので、囲壁１０の成型のとき、囲壁１０の型枠の中にコンクリートを流し込むと、コンクリートが貫通孔の中に入り込み、固化することで、コンクリートと一体となり、通気パネル３２を固定することができる。
【００５０】
なお、建築物により基礎の厚さが異なるので、通気パネル３２の保護板３４の係止部３５ａから３５ｄまでの長さを調整する機構を設けてもよい。具体的には、図１１で示すように、保護板３４は、板材３９ａと調整板材３９ｂで構成され、一方に円形の挿通孔６１を設け、他方に長孔からなる調整孔６２を設ける。長孔からなる調整孔６２の長軸上の何れかの位置とネジ等の固定部材６０の位置を決めて、壁部１１の厚さと合わせた保護板３４の全体の長さをネジ等の固定部材６０で固定することができる。
【００５１】
なお、第２の通気口４０の通気パネル４２は、第２の通気口４０に合わせて、略Ｌ字形状に設けられており、その他の構成は、第１の通気口３０の通気パネル３２と同様の構成をしている。
【００５２】
また、以上のように布基礎構造１について説明したが、床下の換気の必要なベタ基礎についても適用することができる。
【００５３】
更に、以上の例では、平面視略矩形の囲壁１０の内側に平面視略十字形状の仕切り壁２０が設けられた建築物の基礎構造１の場合において説明したが、囲壁１０や仕切り壁２０により構成される建築物の基礎構造１の形状や大きさ等は、建築物の形状や大きさ等によって適宜変更可能であり、これに限定されるものではない。すなわち、本発明では、囲壁１０や仕切り壁２０の全体形状にかかわらず、相対する壁面に形成された囲壁１０と囲壁１０の内側の空間部２４を仕切る仕切り壁２０の交差部において、囲壁１０の相対する壁面に第１の通気口３０が形成され、囲壁１０のコーナ部に隣り合う壁面に跨って第２の通気口４０が形成され、仕切り壁２０の交差部において、仕切られた各空間部２４をつなぐ第３の通気口５０が形成されていればよい。これにより、Ｔ字、Ｌ字、十字形状のコーナ部において空気の滞留を防止できるからである。本発明は、更に、新たな通気口を設けて換気しやすくしてもよい。例えば、従来の布基礎１０１について説明したように、囲壁１０と囲壁１０の内側の空間部２４を仕切る仕切り壁２０で構成される各空間部の略中央部に設けてもよい。
【図面の簡単な説明】
【００５４】
【図１】本発明を適用した布基礎構造の斜視図である。
【図２】図１の布基礎構造の横断面図である。
【図３】図１の第１の通気口の横断面図である。
【図４】図１の第１の通気口の要部斜視図である。
【図５】図１の第２の通気口の横断面図である。
【図６】図１の第２の通気口の要部斜視図である。
【図７】図１の第３の通気口の横断面図である。
【図８】図１の第３の通気口の要部斜視図である。
【図９】第１の通気口の通気パネルの斜視図である。
【図１０】図９の第１の通気口の通気パネルの縦断面図である。
【図１１】保護板の調整機能を有する第１の通気口の通気パネルの縦断面図である。
【図１２】従来の布基礎構造の横断面図である。
【符号の説明】
【００５５】
１  布基礎構造、１０  囲壁、１１ａ  壁部、１１ｂ  壁部、１１ｃ  壁部、１１ｄ  壁部、１２  頂面、１３  鉄筋、２０  仕切り壁、２１ａ  仕切り部、２１ｂ  仕切り部、２１ｃ  仕切り部、２１ｄ  仕切り部、２２  頂面、２３ａ  端面、２３ｂ  端面、２４ａ  空間部、２４ｂ  空間部、２４ｃ  空間部、２４ｄ  空間部、２５ａ  傾斜面、２５ｂ  傾斜面、３０ａ  第１の通気口、３０ｂ  第１の通気口、３０ｃ  第１の通気口、３０ｄ  第１の通気口、３１  開口部、３２  通気パネル、３３  通気部、３４ａ  保護板、３４ｂ  保護板、３４ｃ  保護板、３４ｄ  保護板、３５ａ  係止部、３５ｂ  係止部、３６ａ  係止部、３６ｂ  係止部、３７  補強板、３８  貫通孔、３９ａ  板材、３９ｂ  調整板材、４０ａ  第２の通気口、４０ｂ  第２の通気口、４０ｃ  第２の通気口、４０ｄ  第２の通気口、４１  開口部、４２  通気パネル、４３  通気部、４４  保護板、５０  第３の通気口、６０  固定部材、６１  挿通孔、６２  調整孔、１０１  建築物の基礎構造、１１０  囲壁、１２０  仕切り壁、１３０  通気口、Ｃ１  間隔、Ｃ２  間隔、Ｘ  外気の流れ、Ｙ  外気の流れ
【図１】
0004743399.tif 000002
【図２】
0004743399.tif 000003
【図３】
0004743399.tif 000004
【図４】
0004743399.tif 000005
【図５】
0004743399.tif 000006
【図６】
0004743399.tif 000007
【図７】
0004743399.tif 000008
【図８】
0004743399.tif 000009
【図９】
0004743399.tif 000010
【図１０】
0004743399.tif 000011
【図１１】
0004743399.tif 000012
【図１２】
0004743399.tif 000013